(57)【特許請求の範囲】
【請求項１】
建物の外部に面する出入口に開き戸からなる開閉扉を装備した扉枠を包含する建具装置において、前記扉枠の下枠に、前記扉の開扉時に前記下枠の上面より下方へ没入させることができ、前記扉の閉扉時に前記下枠の上面より上方へ突出させることができる突没可能な水返し材を有し、この水返し材を下枠上面より突出させた閉扉時の状態で入口内への雨水浸入を防止する建具装置であって、前記水返し材は、立板部材と該立板部材の下面に、該水返し材が逆Ｔ字形をなすように設けられた帯磁性底板とからなり、該帯磁性底板を上方に付勢し、前記水返し材の立板部材を突出状態に保持させるスプリングと、該スプリングの上方への付勢力に抗して前記立板部材を開扉時に足で踏み込んで下降没入させた時に前記帯磁性底板を磁力吸着して前記立板部材の没入状態を保持させる電磁マグネットと、前記扉枠の扉閉合部に配置され、前記扉の閉扉時に閉成されて前記電磁マグネットの磁力吸着を解除する作動スイッチを有し、閉扉時に磁力吸着の解除により、前記スプリングの付勢により、前記立板部材が上方に向けて持ち上げられ突出状態となることを特徴とする建具装置。
【請求項２】
建物の外部に面する出入口に引き戸からなる開閉扉を装備した扉枠を包含する建具装置において、前記扉枠の下枠に、前記扉の開扉時に前記下枠の上面より下方へ没入させることができ、前記扉の閉扉時に前記下枠の上面より上方へ突出させることができる突没可能な水返し材を有し、この水返し材を下枠上面より突出させた閉扉時の状態で入口内への雨水浸入を防止する建具装置であって、前記水返し材は、立板部材と該立板部材の下面に、該水返し材が逆Ｔ字形をなすように設けられた底板とからなり、該底板を上方に付勢し、前記水返し材の立板部材を突出状態に保持させるスプリングと、一端が前記底板端部に定着され、他端が前記引き戸の所定位置に定着され、中間に固定滑車を介してワイヤが掛け渡され、前記引き戸の開扉に伴い、前記底板のワイヤ定着部から前記引き戸の定着部が外側に離れるように前記ワイヤが引っ張られ、前記底板のワイヤ定着部と前記固定滑車との間が接近することで、前記スプリング付勢力に抗して前記底板を下方に引き下げて前記立板部材が没入し、前記引き戸の閉扉時に、前記ワイヤが弛んで前記スプリングの付勢により、前記立板部材が上方に向けて持ち上げられ突出状態となることを特徴とする建具装置。
【発明の詳細な説明】
【０００１】
【発明の属する技術分野】
本発明は建物の外部に面する出入口に開き戸や引き戸等の開閉扉を装備した扉枠を包含する建具装置に関するものである。
【０００２】
【従来の技術】
建物の外部に面する建具装置、例えば外開き式のスチール製の開閉扉１と扉枠２を有する図１１に示すような建具装置は、扉１の閉合部から雨水が入口内部に浸入しないように扉枠２の下枠２ａを図示の如き断面形状に形成している。
【０００３】
【発明が解決しようとする課題】
前記のような建具装置では、出入口の内部床３が建物の外部床４より高くなって、出入口の前にＨ寸法の段差が生じるので、台車を利用して建物内に荷物を搬入するような場合に不都合が生じるという問題がある。
【０００４】
このような問題を解消する従来技術として、前記扉枠２の下枠２ａを出入口の内部床３及び外部床４と面一なフラット面を有する図１２に示すような型枠部材で形成し、この出入口の前に排水用グレーチング５等を設備することが知られている。この方式では、引き水や流れ水等は防げるが、矢印イで示す方向からの雨水吹き込みには対応することができず、前記扉１と下枠２ａとの隙間から雨水が室内側に浸入するという問題が発生する。
【０００５】
また、レール式又はハンガー式の引き戸や電動式オートドアー等を開閉扉１とした建具装置において、出入口の前に沓ふきマット６等により図１３の如く水切をつける技術も知られているが、この方法でも矢印イで示す方向からの雨水吹き込みには対応することができず、前記扉１と下枠２ａとの隙間から雨水が室内側に浸入するという問題が発生する。
【０００６】
この発明は前記従来の問題を解消するためになされたもので、その目的は閉扉時において雨水の吹き込み等があっても室内側には雨水が浸入しないようにする雨水浸入防止機構を備えた建具装置を提供することにある。
【０００７】
【課題を解決するための手段】
上記目的を達成するために、本発明は建物の外部に面する出入口に開き戸からなる開閉扉を装備した扉枠を包含する建具装置において、前記扉枠の下枠に、前記扉の開扉時に前記下枠の上面より下方へ没入させることができ、前記扉の閉扉時に前記下枠の上面より上方へ突出させることができる突没可能な水返し材を有し、この水返し材を下枠上面より突出させた閉扉時の状態で入口内への雨水浸入を防止する建具装置であって、前記水返し材は、立板部材と該立板部材の下面に、該水返し材が逆Ｔ字形をなすように設けられた帯磁性底板とからなり、該帯磁性底板を上方に付勢し、前記水返し材の立板部材を突出状態に保持させるスプリングと、該スプリングの上方への付勢力に抗して前記立板部材を開扉時に足で踏み込んで下降没入させた時に前記帯磁性底板を磁力吸着して前記立板部材の没入状態を保持させる電磁マグネットと、前記扉枠の扉閉合部に配置され、前記扉の閉扉時に閉成されて前記電磁マグネットの磁力吸着を解除する作動スイッチを有し、閉扉時に磁力吸着の解除により、前記スプリングの付勢により、前記立板部材が上方に向けて持ち上げられ突出状態となることを特徴とする。
【０００８】
また、建物の外部に面する出入口に引き戸からなる開閉扉を装備した扉枠を包含する建具装置において、前記扉枠の下枠に、前記扉の開扉時に前記下枠の上面より下方へ没入させることができ、前記扉の閉扉時に前記下枠の上面より上方へ突出させることができる突没可能な水返し材を有し、この水返し材を下枠上面より突出させた閉扉時の状態で入口内への雨水浸入を防止する建具装置であって、前記水返し材は、立板部材と該立板部材の下面に、該水返し材が逆Ｔ字形をなすように設けられた底板とからなり、該底板を上方に付勢し、前記水返し材の立板部材を突出状態に保持させるスプリングと、一端が前記底板端部に定着され、他端が前記引き戸の所定位置に定着され、中間に固定滑車を介してワイヤが掛け渡され、前記引き戸の開扉に伴い、前記底板のワイヤ定着部から前記引き戸の定着部が外側に離れるように前記ワイヤが引っ張られ、前記底板のワイヤ定着部と前記固定滑車との間が接近することで、前記スプリング付勢力に抗して前記底板を下方に引き下げて前記立板部材が没入し、前記引き戸の閉扉時に、前記ワイヤが弛んで前記スプリングの付勢により、前記立板部材が上方に向けて持ち上げられ突出状態となることを特徴とする。
【００１０】
【発明の実施の形態】
以下、本発明の実施の形態（第１の実施例）を図１乃至図３に従い具体的に説明する。
この第１の実施例は、建物の外部に面する出入口に両開き戸１ａ，１ｂを開閉扉１として装備した扉枠２を包含する建具装置において、前記扉枠２の下枠２ａを出入口の内部床３及び外部床４と面一になるように敷設されるフラット面を有した前後一対の型枠部材２a1，２a2で形成し、この型枠部材からなる下枠２ａの下側位置に排水管８のついた装置ユニットボックス９を設け、この装置ユニットボックス９内に雨水浸入防止機構１０を装備している。
【００１１】
この雨水浸入防止機構１０は、前記型枠部材２a1，２a2間の離隔隙間１１（扉閉合部の内側沿いの位置にスリット状に開口する）を上昇及び下降する突没可能な水返し材１２（両開きの場合には図１の如く左右分割にすることが望ましい）と、この水返し材１２を上方に付勢し該水返し材１２の図２に示すような突出状態を保持させるコイル状をなした複数のスプリング１３と、前記ボックス９内に配置され水返し材１２を開扉時に足で踏み込んで図３の如く下降没入させた時に該水返し材１２の前記離隔隙間１１を上昇及び加工する突没可能な立板と、この立板と側面視して略逆Ｔ字形をなすように取り付けられた鉄板等の帯磁性底板（以下、帯磁性体部１２ａ）が接触し該帯磁性体部１２ａを磁力吸引して前記水返し材１２の没入状態を保持させる電磁マグネット１４と、前記扉枠２の扉閉合部に配置され前記扉１の閉扉時に閉成されて電磁マグネット１４の磁力吸引を解除させる作動スイッチ１５とから構成されている。
【００１２】
このような構成の雨水浸入防止機構１０は、扉開放時（開扉時）に水返し材１２を足で踏み込むと、この水返し材１２がスプリング１３を押し縮めながら下降し、その帯磁性体部１２ａが電磁マグネット１４の磁力吸着部に図３の如く接触して吸着固定されることにより水返し材１２の没入状態を保持する。この水返し材１２の没入によって扉枠２の下枠２ａは出入口の内部床３及び外部床４と面一な図３の如きフラットの状態になるので、台車を利用した荷物等の搬入・搬出を容易に行うことができる。
【００１３】
また、前記扉１を閉めて閉鎖状態（閉扉状態）にすると、扉閉合部に仕込まれた作動スイッチ１５が扉部の押圧により電気的に閉成（ＯＮ）されて、電磁マグネット１４が解錠（消磁）される。これにより、電磁マグネット１４による帯磁性体部１２ａの磁力吸引が解除されて水返し材１２がスプリング１３の弾力により上方へ押上げられて図２に示すような突出状態が保持される。
【００１４】
なお、図３に示すような開扉時の状態において、前記スイッチ１５を手動操作で閉成（ＯＮ）すれば、前記扉１を開いた状態で水返し材１２を図２に示すように突出させることも可能である。前記第１の実施例は、両開き戸１ａ，１ｂの建具装置に適用した場合について説明したが、片開き戸又は親子開き戸等の建具装置に第１の実施例を適用することも可能である。
【００１５】
図４乃至図８は本発明の第２の実施例を示す。
この第２の実施例は、前記扉枠２の下枠２ａを出入口の内部床３及び外部床４と面一になるように敷設されるフラット面を有した前後一対の型枠部材２a1，２a2で形成し、この型枠部材からなる下枠２ａの下側位置に装置ユニットボックス９を設け、この装置ユニットボックス９内に雨水浸入防止機構１０を装備するという構成において、前記第１の実施例と同様であるが、オートドアタイプの引き戸１ｃ，１ｄを開閉扉１とし、この扉１の開閉動作（開閉手段は公知技術であるので説明を省略する）と水返し材１２の突没動作を、前記扉１の開扉時に水返し材１２が没入し、前記扉１の閉扉時に水返し材１２が突出するように連動させる構成とした点が相違している。
【００１６】
即ち、この第２の実施例においては、前記の雨水浸入防止機構１０を、型枠部材２a1，２a2間の離隔隙間１１を上昇及び下降する突没可能な水返し材１２（扉閉合部の内側沿いの位置に図６の如く突出して雨水の浸入を防止する機能を有する）と、この水返し材を上方に付勢し該水返し材１２の図６に示すような突出状態を保持させる複数のスプリング１３と、水返し材１２の両端固定点Ｃ，Ｃ′の下方に位置し前記ボックス９内に配置された固定滑車Ｂ，Ｂ′と、この各固定滑車Ｂ，Ｂ′に掛装され一端が水返し材１２の両端固定点Ｃ，Ｃ′に他端が引き戸１ｃ，１ｄの下枠固定点Ａ，Ａ′に固定されるワイヤー１７，１７′（水返し材の下フランジ１２ｂの長孔１８に挿通される）とから構成されている。
【００１７】
なお、前記引き戸１ｃ，１ｄの下枠固定点Ａ，Ａ′は、例えば引き戸１ｃ，１ｄの下枠に設置したワイヤー固定突起であって、引き戸１ｃ，１ｄの閉扉時に図５の如く固定滑車Ｂ，Ｂ′の位置より内側に変位した位置にあるが、前記引き戸１ｃ，１ｄが図５矢印方向に移動し、下枠固定点Ａ，Ａ′が水返し材１２の両端固定点Ｃ，Ｃ′の位置を越えて図５に示すａ，ａ′点まで水平移動すると、この開扉動作によりＣ，Ｂ点間のワイヤー１７及びＣ′，Ｂ′点間のワイヤー１７′がＣ点及びＣ′点から下方へ、即ちＢ点，Ｂ′点の方向へ引っ張られることにより、水返し材１２が下方へ牽引移動されて図７，図８の如く没入されることになる。
【００１８】
雨水浸入防止機構１０を前記のように構成すると、引き戸１ｃ，１ｄの開閉動作と水返し材１２の突没動作を、引き戸１ｃ，１ｄの開放時に水返し材１２が図７及び図８の如く没入し、引き戸１ｃ，１ｄの閉扉時に水返し材１２が図５，図６の如く突出するように連動させることができる。なお、図４の符号７は扉枠２の開扉閉合部に嵌めたガラス窓を示している。また、図９はワイヤー１７の掛け方を変えた変形例を示し、Ａ，Ｂ点の間に角度可変性のある可動滑車ＢＰを介装させた構成としている点が相違している。
【００１９】
前記第２の実施例は、両引き戸１ｃ，１ｄの建具装置に適用した場合について説明したが、ハンガードアや自動ドアを含む片引き戸等の建具装置に第２の実施例を適用することも可能である。
【００２０】
図１０は本発明の第３の実施例を示す。
この第３の実施例は、前記扉枠２の下枠２ａの下側部に、扉１の開扉時に下枠２ａの上面より下方へ没入させることができ、扉１の閉扉時に下枠２ａの上面より上方へ突出させることができる突没可能な水返し材１２を有する図示省略の雨水浸入防止機構を備えた点において前記第１及び第２の実施例と同様であるが、出入口の内部床３が建物の外部床４′より高くて出入口の前にＨ寸法（例えば１００mm程度）の段差が生じる場合に、この段差形成位置に外部床４′より一段低くなるように掘り下げた排水ピット２０（排水管８を備えている）を設け、この排水ピット２０内に常時は該ピット内に倒伏収納され台車搬入の使用時には傾斜状態に起し回動されて外部床４′と出入口とを緩い勾配例えば１／１２位の勾配で接続する起倒回動方式の可動スロープ台２１を装備した点が相違している。
【００２１】
この可動スロープ台２１は、基端枢軸２２を支点として上下方向に起倒回動されるもので、排水ピット２０内への図１０点線で示すような倒伏収納の状態は、スロープ台２１を支持体２２に支承させることにより保持される。このスロープ台２１の倒伏収納状態では、該スロープ台２１が排水ピット２０の開口部を閉塞して外部床４′と面一な水平状態になるので、前記スロープ台２１が通路として利用できスペースの有効利用が計れる。
【００２２】
前記スロープ台２１の起倒装置は、例えばスロープ台２１の先端下側部に支軸２３で枢軸された回動脚体２４と、この回動脚体２４を図１０矢印方向に回動させてスロープ台２１の起倒回動を行う油圧シリンダ２５とから構成される。
【００２３】
このような起倒装置で前記スロープ台２１を図１０実線で示すような状態にすると、外部床４′と出入口とが緩い勾配例えば１／１２位の勾配のスロープ台２１で接続されるので、このスロープ台２１を用いて荷物用台車を建物内にスムースに入れ出しすることができる。
【００２４】
なお前記スロープ台２１は、水返し材１２の突没動作とは別に起倒動作しても良いが、このスロープ台２１の起倒動作と前記水返し材１２の突没動作を、スロープ台２１を上げた時に水返し材１２が下降没入し、スロープ台２１を下げた時に水返し材１２が上昇突出するように連動させることも可能である。
【００２５】
【発明の効果】
本発明による建具装置では、扉の開閉動作と水返し材の突没動作を、前記扉の開扉時に水返し材が水返し材を足の踏み込みや自動的に没入し、また前記扉の閉扉時に水返し材が連動して突出するように構成しているので、扉の開閉動作と水返し材の突没動作を確実に連繋させることができ、閉扉時において雨水の吹き込み等があっても室内側への雨水の浸入を下枠上面より突出させた水返し材により防止することができるという効果を奏する。
【図面の簡単な説明】
【図１】本発明の第１の実施例による建具装置を閉扉時の状態で示した要部の横断平面図。
【図２】前記第１実施例の建具装置を閉扉時の状態（水返し材の突出状態）で示した要部の断面斜視図。
【図３】前記第１実施例の建具装置を開扉時の状態（水返し材の没入状態）で示した要部の断面図。
【図４】本発明の第２の実施例による建具装置を閉扉時の状態で示した要部の横断平面図。
【図５】前記第２実施例の建具装置を閉扉時の状態（水返し材の突出状態）で示した一部断面の正面図。
【図６】図６（ａ）は図５のＸ―Ｘ線に沿う断面図、図６（ｂ）は図６（ａ）のＹ―Ｙ線に沿う断面図。
【図７】前記第２実施例の建具装置を開扉時の状態（水返し材の没入状態）で示した一部断面の正面図。
【図８】図７のワイヤー連動部分を拡大して示した詳細図。
【図９】前記第２実施例の変形例を示したワイヤー連動部分の概略説明図。
【図１０】本発明の第３の実施例による建具装置を可動スロープ台の使用時の状態で示した要部の縦断面図。
【図１１】第１の従来例による建具装置を示した一部断面図。
【図１２】第２の従来例による建具装置を示した一部断面図。
【図１３】第３の従来例による建具装置を示した一部断面図。
【符号の説明】
１…開閉扉、１ａ，１ｂ…開き戸、１ｃ，１ｄ…引き戸、
２…扉枠、２ａ…扉枠の下枠、２a1，２a2…型枠部材、
３…出入口の内部床、
４…建物の外部床、
９…装置ユニットボックス、
１０…雨水浸入防止機構、
１１…型枠部材間の離隔隙間、
１２…水返し材、１２ａ…水返し材の帯磁性体部、１２ｂ…同下フランジ、
１３…スプリング、
１４…電磁マグネット、
１５…作動スイッチ、
Ｂ，Ｂ′…固定滑車、
１７，１７′…ワイヤー、
２０…排水ピット、
２１…可動スロープ台。
【図１】
0003664562.tif 000002
【図２】
0003664562.tif 000003
【図３】
0003664562.tif 000004
【図４】
0003664562.tif 000005
【図５】
0003664562.tif 000006
【図６】
0003664562.tif 000007
【図７】
0003664562.tif 000008
【図８】
0003664562.tif 000009
【図９】
0003664562.tif 000010
【図１０】
0003664562.tif 000011
【図１１】
0003664562.tif 000012
【図１２】
0003664562.tif 000013
【図１３】
0003664562.tif 000014